(57)【要約】【課題】  スイッチギヤに、収納された遮断器を断路位置から運転位置に移動する時に遮断器の端子とシャッタの接触を防止しながらコンパクトなスイッチギヤを得る【解決手段】  筐体２５の内部に収納され筐体２５内で断路位置と運転位置との間を移動可能で運転位置の時に通電を行う端子１３を有する引出形機器１と、前記筐体２５の前方部に設けられ回動可能な操作レバー２と、前記引出形機器１が運転位置の時に前記引出形機器１の前記端子１３が接続される主回路端子１１と、前記主回路端子１１の前面に設けられたシャッタ４と、前記操作レバー２に一端が係合し他端が前記引出形機器１に接続され前記操作レバー２の回動により前記引出形機器１を移動させる引出形機器駆動機構８ａ，８ｂと、前記操作レバー２に一端が当接し他端が前記シャッタ４に接続され前記操作レバー２の回動により前記シャッタ４を開閉するシャッタ駆動機構５ａ，５ｂとを備えた。【選択図】          図３
2017028786.tif 000002
【特許請求の範囲】
【請求項１】
筐体の内部に収納され筐体内で断路位置と運転位置との間を移動可能で運転位置の時に通電を行う端子を有する引出形機器と、
前記筐体の前方部に設けられ回動可能な操作レバーと、
前記引出形機器が運転位置の時に前記引出形機器の前記端子が接続される主回路端子と、
前記主回路端子の前面に設けられたシャッタと、
前記操作レバーに一端が係合し他端が前記引出形機器に接続され前記操作レバーの回動により前記引出形機器を移動させる引出形機器駆動機構と、
前記操作レバーに一端が当接し他端が前記シャッタに接続され前記操作レバーの回動により前記シャッタを開閉するシャッタ駆動機構とを備えたスイッチギヤ。
【請求項２】
前記引出形機器が収納された引出形機器室を開閉する引出形機器室扉と、
前記操作レバーの回動により前記引出形機器室扉の閉鎖を鎖錠及び解錠する扉ロック機構とを備えた請求項１に記載のスイッチギヤ。
【請求項３】
前記シャッタ駆動機構により前記シャッタが解放状態となった後に前記引出形機器駆動機構により前記引出形機器が断路位置から運転位置への移動を開始することを特徴とする請求項１又は請求項２に記載のスイッチギヤ。
【請求項４】
前記扉ロック機構により前記引出形機器室扉の閉鎖を鎖錠した後に前記引出形機器駆動機構により前記引出形機器が断路位置から運転位置への移動を開始することを特徴とする請求項２に記載のスイッチギヤ。
【請求項５】
前記操作レバーには長穴部が設けられ、前記引出形機器駆動機構が前記長穴部に遊嵌状に係合し、前記長穴部との遊嵌により前記引出形機器駆動機構の動作が前記操作レバーの回動より遅れて動作することを特徴とする請求項１から請求項４のいずれか一項に記載のスイッチギヤ。
【請求項６】
前記操作レバーは円盤状で円周の一部に凹部が有り、前記シャッタ駆動機構は前記操作レバーの外周に当接し、前記操作レバーの前記凹部に当接する時に前記シャッタが閉鎖状態であり、前記操作レバーの前記凹部でない円周部分に当接する時には前記シャッタが解放状態であることを特徴とする請求項１から請求項５のいずれか一項に記載のスイッチギヤ。
【請求項７】
前記操作レバーは円盤状で円周の一部に凹部が有り、前記シャッタ駆動機構は前記操作レバーの外周に当接し、前記操作レバーの前記凹部に当接する時に前記シャッタが開放状態であり、前記操作レバーの前記凹部でない円周部分に当接する時には前記シャッタが閉鎖状態であることを特徴とする請求項１から請求項５のいずれか一項に記載のスイッチギヤ。
【請求項８】
前記操作レバーには鉤状穴が設けられ、前記扉ロック機構は前記鉤状穴と係合し、前記鉤状穴の鉤部と係合する時に前記引出形機器室扉の閉鎖を解錠し、前記鉤部でない前記鉤状穴部分に係合する時に前記引出形機器室扉の閉鎖を鎖錠することを特徴とする請求項２または請求項４に記載のスイッチギヤ。
【請求項９】
前記操作レバーには鉤状穴が設けられ、前記扉ロック機構は前記鉤状穴と係合し、前記鉤状穴の鉤部と係合する時に前記引出形機器室扉の閉鎖を鎖錠し、前記鉤部でない前記鉤状穴部分に係合する時に前記引出形機器室扉の閉鎖を解錠することを特徴とする請求項２または請求項４に記載のスイッチギヤ。
【発明の詳細な説明】
【技術分野】
【０００１】
本発明は内部に収納する引出形機器の移動機構と扉のロック機構とシャッタの開閉機構とを備えたスイッチギヤに関する。
【背景技術】
【０００２】
スイッチギヤでは、遮断器を引き出した時に充電部である主回路端子を区画するためのシャッタが設けられ、このシャッタは遮断器が挿入されると、遮断器のシャッタ駆動用蹴り板によって、シャッタ取付板が上昇する。こうして、遮断器が所定の位置に挿入されることにより自動的にシャッタが上がって主回路端子が露出するようになっている。また、遮断器が引き出されると逆に、シャッタの自重によりシャッタが下がり主回路端子が区画される(例えば、特許文献１及び特許文献２参照)。
【０００３】
また、スイッチギヤでは、遮断器が運転位置に有る時には、保守点検員が充電された遮断器に触れないようにするために、遮断器室扉ロック手段が、遮断器が運転位置に挿入されると、遮断器移動操作手段のギヤシャフトの回動に連動するリンク機構により、遮断器室扉を閉じた状態にロックするようにしている。(例えば、特許文献３参照)。
【先行技術文献】
【特許文献】
【０００４】
【特許文献１】特許第３２４０８０７号公報  （段落００２７，図１）
【特許文献２】実用新案昭６２−３３４５８公報  （図５）
【特許文献３】特許第４０７４０３８号公報  （段落００２７，図１）
【発明の概要】
【発明が解決しようとする課題】
【０００５】
特許文献１及び特許文献２に開示されたような従来のスイッチギヤでは、遮断器の断路位置から運転位置の移動に連動して、シャッタが開となる方式であったため、シャッタと遮断器の端子との接触を防止する為に、遮断器の短い移動距離を捉えてシャッタを開状態にする必要があった為、シャッタを操作する操作力が増加、すなわち、遮断器を運転位置へ移動させる際の挿入力が増加するという問題点があった。
更に、特許文献３に開示されたような従来のスイッチギヤでは、遮断器の移動に連動して、扉のロックを行う為、遮断器が断路位置から運転位置に向けて移動しているにも関わらず、扉のロック動作が完了しておらず、扉が開いてしまう領域が存在した。このような場合には、充電部に人体が触れないように、シャッタの開動作を遅らせる又は充電部に触れないように仕切りを設ける等の追加の対策が必要となっていた。
【０００６】
この発明は上記のような問題を解決するためになされたもので、スイッチギヤに、収納された遮断器を断路位置から運転位置に移動する時に遮断器の端子とシャッタの接触を防止しながらコンパクトなスイッチギヤを得ることを目的とする。
【０００７】
また、スイッチギヤに収納された遮断器を断路位置から運転位置に移動する時に、扉のロックが確実に完了して充電部に人体が触れる恐れの無いスイッチギヤを得ることを目的とする。
【課題を解決するための手段】
【０００８】
この発明に係わるスイッチギヤは、筐体の内部に収納され筐体内で断路位置と運転位置との間を移動可能で運転位置の時に通電を行う端子を有する引出形機器と、前記筐体の前方部に設けられ回動可能な操作レバーと、前記引出形機器が運転位置の時に前記引出形機器の端子が接続される主回路端子と、前記主回路端子の前面に設けられたシャッタと、前記操作レバーの回動により前記引出形機器を移動させる引出形機器駆動機構と、前記操作レバーの回動により前記シャッタを開閉するシャッタ駆動機構とを備えたものである。
【発明の効果】
【０００９】
この発明によれば、筐体の内部に収納され筐体内で断路位置と運転位置との間を移動可能で運転位置の時に通電を行う端子を有する引出形機器と、前記筐体の前方部に設けられ回動可能な操作レバーと、前記引出形機器が運転位置の時に前記引出形機器の端子が接続される主回路端子と、前記主回路端子の前面に設けられたシャッタと、前記操作レバーの回動により前記引出形機器を移動させる引出形機器駆動機構と、前記操作レバーの回動により前記シャッタを開閉するシャッタ駆動機構とを備えたので、スイッチギヤに収納された遮断器を断路位置から運転位置に移動する時に遮断器の端子とシャッタの接触を防止しながらコンパクトなスイッチギヤを得ることが出来る。
【図面の簡単な説明】
【００１０】
【図１】この発明の実施の形態１を示すスイッチギヤの正面図である。
【図２】この発明の実施の形態１の遮断器が断路位置の状態を示すスイッチギヤの側面断面図である。
【図３】この発明の実施の形態１の遮断器が断路位置の状態を示す遮断器とシャッタ部の斜視図である。
【図４】この発明の実施の形態１の遮断器が運転位置の状態を示すスイッチギヤの側面断面図である。
【図５】この発明の実施の形態１の操作レバーが０°の時の遮断器と主回路端子の位置関係を示す側面図である。
【図６】この発明の実施の形態１の操作レバーが３０°の時の遮断器と主回路端子の位置関係を示す側面図である。
【図７】この発明の実施の形態１の操作レバーが９０°の時の遮断器と主回路端子の位置関係を示す側面図である。
【図８】この発明の実施の形態１の操作レバーが０°の時のシャッタの位置を示す側面図である。
【図９】この発明の実施の形態１の操作レバーが３０°の時のシャッタの位置を示す側面図である。
【図１０】この発明の実施の形態１の操作レバーが９０°の時のシャッタの位置を示す側面図である。
【図１１】この発明の実施の形態１の操作レバーが０°の時の遮断器室扉をロックする扉ロック機構の状態を示す側面図である。
【図１２】この発明の実施の形態１の操作レバーが３０°の時の遮断器室扉をロックする扉ロック機構の状態を示す側面図である。
【図１３】この発明の実施の形態１の操作レバーが９０°の時の遮断器室扉をロックする扉ロック機構の状態を示す側面図である。
【図１４】この発明の実施の形態１の遮断器位置，シャッタ開閉，及び扉ロックの状態変化を示す図である。
【図１５】この発明の実施の形態２の操作レバーが０°の時のシャッタの位置を示す側面図である。
【図１６】この発明の実施の形態２の操作レバーが９０°の時のシャッタの位置を示す側面図である。
【図１７】この発明の実施の形態２の操作レバーが０°の時の遮断器室扉をロックする扉ロック機構の状態を示す側面図である。
【図１８】この発明の実施の形態２の操作レバーが９０°の時の遮断器室扉をロックする扉ロック機構の状態を示す側面図である。
【発明を実施するための形態】
【００１１】
実施の形態１．
図１は実施の形態１のスイッチギヤ１２の正面図で、筐体２５の内部に引出形機器である遮断器（図示せず）を収納し、この遮断器を収納した引出形機器室である遮断器室の前面は引出形機器室扉である遮断器室扉１０が設けられている。また、スイッチギヤ１２の前面には、スイッチギヤ１２内部での遮断器の断路位置と運転位置の間の移動を行うための操作ハンドルを挿入する操作ハンドル挿入口１４が設けられている。
図２は図１のスイッチギヤ１２の側面断面図であり、紙面に向かって左がスイッチギヤ１２の前面となり、遮断器１が断路位置に有る時の状態を示している。図３は、遮断器１が断路位置の時の遮断器１とシャッタ部を示す斜視図である。
図２及び図３において、遮断器１は断路位置に有り、遮断器１の後方に設けられ遮断器１が運転位置の時に通電を行うための端子１３とスイッチギヤ１２に設けられた主回路端子１１とは接続されず、一定の距離を確保している状態である。主回路端子１１の前面には充電部である主回路端子１１を区画するための上下に移動可能なシャッタ４が設けられている。遮断器１が断路位置にある状態では、シャッタ４は主回路端子１１を覆うように配置されており、主回路端子１１に誤って触れないように区画している。このシャッタ４は、シャッタ駆動機構であるシャッタ駆動ロッド５ａとシャッタリンクレバー５ｂとを介して操作レバー２により駆動される。操作レバー２は、円盤状で遮断器１の側方の下部に一対設けられており、その間を操作レバー軸１５により連結され、この操作レバー軸１５を中心に、一方の操作レバー２に設けられた操作ハンドル３により回動される。操作レバー２の長穴部１６には遊嵌状に遮断器移動ロッド８ａが設けられ、遮断器移動ロッド８ａの中央付近に遮断器移動レバー８ｂの一端が接続され、遮断器移動レバー８ｂの他端は遮断器１の下部に固定されている。これにより、操作レバー２の回動により遮断器１は遮断器室コンパートメント内の運転位置から断路位置の間を紙面から見て前後に移動する引出形機器駆動機構を構成している。
また、操作レバー２の側方には、回動自在の扉ロック駆動部材６ａが配置され、扉ロック駆動部材６ａには、扉ロック駆動ロッド６ｃの一端が接続されている。扉ロック駆動ロッド６ｃの他端は、扉ロックプレート６ｂが接続され、この扉ロックプレート６ｂが遮断器室扉１０に設けられた扉ロック金具７に係合することで、遮断器室扉１０の閉鎖をロックする扉ロック機構を構成している。
図４は、図２の遮断器１が断路位置から運転位置に移動した状態を示しており、操作レバー２は、図２の状態より９０°回転している。この時、シャッタ４は上側に移動しており、これにより遮断器１の端子１３と主回路導体１１は接続されている。また、遮断器室扉１０は、ロックされており開くことが出来ない。
【００１２】
次に以上のように構成されたスイッチギヤの動作を説明する。
まず、遮断器１の移動に関して図５ないし図７で説明する。図５は遮断器１が断路位置に有る状態で、操作レバー２の回転角度が０°の時の遮断器１と主回路端子１１の位置関係を示す側面図であり、図６は遮断器１が断路位置から運転位置に移動する途中の状態で、操作レバー２の回転角度が３０°の時の遮断器１と主回路端子１１の位置関係を示す側面図であり、図７は遮断器１が運転位置に有る状態で、操作レバー２の回転角度が９０°の時の遮断器１と主回路端子１１の位置関係を示す側面図である。
図５において、遮断器１を断路位置から運転位置に移動させるために、操作ハンドル３を紙面から見て時計回りへ回転させると、操作レバー２も回転される。操作レバー２は回転するが、遮断器移動ロッド８ａは、操作レバー２の長穴部１６に遊嵌状に設けられているのでこの時点では移動しない。この状態から更に操作ハンドル３を紙面から見て時計回りに回転させていき、操作レバー２の回転角度が３０°に達すると、図６に示すように遮断器移動ロッド８ａが操作レバー２の長穴部１６の端に達し、操作レバー２の回転に伴って、遮断器移動ロッド８ａが紙面から見て後方となる運転位置に向けて移動を開始し、遮断器移動ロッド８ａに一端が接続された遮断器移動レバー８ｂも運転位置へ移動し、遮断器１も運転位置へ移動される。最終的には、図７に示すように操作レバー２の回転角度が９０°に成った時点で、遮断器１の端子１３が主回路端子１１に接続され、遮断器１の運転位置への移動が完了する。
遮断器１を運転位置から断路位置に移動するのは、上記と逆の操作となる。
【００１３】
次に、シャッタ４の開閉に関して図８ないし図１０で説明する。図８は遮断器１が断路位置に有る時の状態で、操作レバー２の回転角度が０°の時を示しており、充電部である主回路端子１の前面のシャッタ４が閉鎖された状態を示すシャッタとその駆動部を示す側面図である。図９は遮断器１が断路位置から運転位置に移動する途中の状態で、操作レバー２の回転角度が３０°の時のシャッタ４とその駆動部を示す側面図である。図１０は遮断器１が運転位置に有る状態で、操作レバー２の回転角度が９０°の時のシャッタ４とその駆動部を示す側面図である。
図８において、操作レバー２は円周上の一部が窪んだ凹部が有り、シャッタリンクレバー５ｂの一端は、この操作レバー２の凹部に接触している。この状態で操作ハンドル３を紙面から見て時計回りへ回転させると、操作レバー２も回転され、シャッタリンクレバー５ｂの一端が操作レバー２の凹部を乗り越え、図９の状態となる。これによりシャッタリンクレバー５ｂはリンクレバー回動点１８を中心に反時計方向に回動する。シャッタリンクレバー５ｂの他端は、シャッタリンク連結部１９でシャッタ駆動ロッド５ａに接続されており、シャッタリンクレバー５ｂの反時計方向の回動により上方へ移動し、結果シャッタ４も上方へ移動し、主回路端子１１の前面は開放される。これにより、遮断器１の端子１３が主回路端子１１に接続可能となる。
操作レバー２の回転角度が３０°から９０°の間は、図１０に示すようにシャッタ４の開放が保持される。
また、シャッタを閉じる場合は、上記と逆の操作となる。
【００１４】
次に遮断器室扉１０のロックに関して図１１ないし図１３で説明する。図１１は遮断器１が断路位置に有る時の状態で、操作レバー２の回転角度が０°の時を示しており、遮断器室扉１０のロックを行う機構部を示す側面図である。図１２は遮断器１が断路位置から運転位置に移動する途中の状態で、操作レバー２の回転角度が３０°の時の遮断器室扉１０のロックを行う機構部を示す側面図である。図１３は遮断器１が運転位置に有る状態で、操作レバー２の回転角度が９０°の時の遮断器室扉１０のロックを行う機構部を示す側面図である。
図１１において、操作レバー２の側方（紙面では手前方向）には、扉ロック駆動部材６ａが駆動部材回動点２０ｃを中心に回動可能に配置されている。この扉ロック駆動部材６ａは扉ロック連結部２０ａで、扉ロック駆動ロッド６ｃに連結されている。また、扉ロック駆動部材６ａは駆動部材駆動点２０ｂの位置に操作レバー２に向かって図示しないピンが出ており、このピンは操作レバー２の鉤状穴１７の内面に当接している。この操作レバー２の鉤状穴１７は、円弧状で一端が操作レバー２の中心に向いた鉤状部を有している。この状態で操作ハンドル３を紙面から見て時計回りへ回転させると、操作レバー２も回転され、扉ロック駆動部材６ａのピンが操作レバー２の鉤状穴１７の鉤状部を乗り越え図１２の状態となる。これにより扉ロック駆動部材６ａは時計方向に回動され、この回動により扉ロック駆動ロッド６ｃが押されることで扉ロックプレート６ｂが上方へ移動し、扉ロックプレート６ｂと扉ロック金具７とが係合して遮断器室扉１０がロックされる。
操作レバー２の回転角度が３０°から９０°の間は、図１３に示すように遮断器室扉１０のロックが保持される。
また、遮断器室扉１０のロックを解除する場合は、上記と逆の操作となる。
【００１５】
上記では、遮断器１の移動とシャッタ４の開閉及び遮断器室扉１０のロックを別々に説明したが、これらは全て操作レバー２の回転角度に連動しており、全ての動作は連動している。これを遮断器位置，シャッタ開閉，及び扉ロックの状態変化を示す図である図１４を用いて説明する。まず、操作レバー２の回転角度が０°の時は、遮断器１の位置は断路位置であり、遮断器室扉１０のロックは解除され、シャッタは閉まった状態で有る。操作レバー２を回転させ回転角度が３０°に達するまでに、遮断器室扉１０がロックされ、シャッタ４が開くが遮断器１は動かない。この後、遮断器１の移動が開始され操作レバー２の回転角度が９０°に成った時に、遮断器１の移動が完了する。この間、遮断器室扉１０のロックとシャッタ４の開放は保持されたままとなる。
【００１６】
実施の形態１によれば、遮断器１が断路位置から運転位置へ移動する際には、操作レバー２の回転により、最初にシャッタが開放され、次に遮断器が移動するようにしたので、シャッタの動作が遮断器の動きに連動しておらず、遮断器の移動に必要な操作力を低減させることが可能である。
また、シャッタ４の開放後に遮断器１の断路位置から運転位置への移動を開始するようにしたので、シャッタ４と遮断器１の端子１３とが接触することも無い。
更に、操作レバー２の回転角度に、遮断器１の移動と遮断器室扉１０のロックを連動させ、更に遮断器室扉１０のロック後に遮断器１の断路位置から運転位置への移動を開始するようにしたので、遮断器１の移動中で主回路端子１１の前面が解放されていても、遮断器室扉１０がロックされていて開くことが出来ないので、誤って充電部に人体が触れてしまうことが無い。
【００１７】
なお、上記の説明では引出形機器として、遮断器を例に説明したがこれに限られるものではなく、引出形機器は電磁開閉器，引出形避雷器，引出形変圧器であっても良い。
また、操作レバー２の回転角度として、３０°，９０°を例に説明したが、この回転角度は適宜変更しても良い。
また、操作レバー２の回動を操作ハンドル３により手動で行うようにしているが、操作レバー２の操作レバー軸１５に電動機を接続して電動で動作させるようにしても良い。
【００１８】
実施の形態２．
図１５は実施の形態２における操作レバーが０°の時のシャッタの位置を示す側面図、図１６は操作レバーが９０°の時のシャッタの位置を示す側面図、図１７は操作レバーが０°の時の遮断器室扉をロックする扉ロック機構の状態を示す側面図、図１８は操作レバーが９０°の時の遮断器室扉をロックする扉ロック機構の状態を示す側面図である。なお、図中同一符号は、同一または相当部分を示しその説明を省略している。
実施の形態１ではシャッタ４が上方に移動することで主回路端子の前面を開放していたが、シャッタ４が下方に移動することで主回路端子の前面を開放するようにしても良い。また、実施の形態１では扉ロックプレート６ｂが上方に移動することで扉ロックプレート６ｂと扉ロック金具７とが係合して遮断器室扉１０がロックしていたが、扉ロックプレート６ｂが下方に移動することで扉ロックプレート６ｂと扉ロック金具７とが係合して遮断器室扉１０がロックしても良い。
【００１９】
この場合、シャッタ４の開閉に関しては、シャッタリンクレバー２１は図１５に示す操作レバー２とシャッタリンクレバー２１の当接点とリンクレバー回動点２２の位置関係が実施の形態1とは異なって設定されている。他の構成は実施の形態１と同様である。この場合操作ハンドル３を紙面から見て時計回りへ回転させると、操作レバー２も回転され、シャッタリンクレバー２１の一端が操作レバー２の凹部を乗り越え、図１６の状態となる。これによりシャッタリンクレバー２１はリンクレバー回動点２２を中心に時計方向に回動する。シャッタリンクレバー２１の他端は、シャッタリンク連結部１９でシャッタ駆動ロッド５ａに接続されており、シャッタリンクレバー２１の時計方向の回動により下方へ移動し、結果シャッタ４も下方へ移動し、主回路端子１１の前面は開放される。
【００２０】
次に遮断器室扉１０のロックに関しては、図１７において
扉ロック駆動部材２３が駆動部材回動点２４ｃを中心に回動可能に配置されている。この扉ロック駆動部材２３は扉ロック連結部２４ａで、扉ロック駆動ロッド６ｃに連結されている。扉ロック駆動部材２３は駆動部材駆動点２４ｂの位置に操作レバー２に向かって図示しないピンが出ており、このピンは操作レバー２の鉤状穴１７の内面に当接している。このような構成において、駆動部材駆動点２４ｂと駆動部材回動点２４ｃの位置関係が実施の形態1とは異なって設定されている。他の構成は実施の形態１と同様である。この場合操作ハンドル３を紙面から見て時計回りへ回転させると、操作レバー２も回転され、扉ロック駆動部材２３のピンが操作レバー２の鉤状穴１７の鉤状部を乗り越え図１８の状態となる。これにより扉ロック駆動部材２３は反時計方向に回動され、この回動により扉ロック駆動ロッド６ｃが引かれることで扉ロックプレート６ｂが下方へ移動し、扉ロックプレート６ｂと扉ロック金具７とが係合して遮断器室扉１０がロックされる。
【００２１】
実施の形態２によれば、操作レバー２の回転角度に、遮断器１の移動とシャッタ４の開閉を連動させ、更にシャッタ４の開放後に遮断器１の断路位置から運転位置への移動を開始するようにしたので、遮断器１の移動距離を短くすることが出来て、スイッチギヤ１２をコンパクトにすることが可能である。
また、シャッタ４の開放後に遮断器１の断路位置から運転位置への移動を開始するようにしたので、シャッタ４と遮断器１の端子１３とが接触することも無い。
更に、操作レバー２の回転角度に、遮断器１の移動と遮断器室扉１０のロックを連動させ、更に遮断器室扉１０のロック後に遮断器１の断路位置から運転位置への移動を開始するようにしたので、遮断器１の移動中で主回路端子１１の前面が解放されていても、遮断器室扉１０がロックされていて開くことが出来ないので、誤って充電部に人体が触れてしまうことが無い。
【符号の説明】
【００２２】
１  遮断器
２  操作レバー
３  操作ハンドル
４  シャッタ
５ａ  シャッタ駆動ロッド
５ｂ  シャッタリンクレバー
６ａ  扉ロック駆動部材
６ｂ  扉ロックプレート
６ｃ  扉ロック駆動ロッド
７  扉ロック金具
１０  遮断器室扉
１１  主回路端子
１２  スイッチギヤ
１３  端子
１６  長穴部
１７  鉤状穴
２５  筐体
【図１】
2017028786.tif 000003
【図２】
2017028786.tif 000004
【図３】
2017028786.tif 000005
【図４】
2017028786.tif 000006
【図５】
2017028786.tif 000007
【図６】
2017028786.tif 000008
【図７】
2017028786.tif 000009
【図８】
2017028786.tif 000010
【図９】
2017028786.tif 000011
【図１０】
2017028786.tif 000012
【図１１】
2017028786.tif 000013
【図１２】
2017028786.tif 000014
【図１３】
2017028786.tif 000015
【図１４】
2017028786.tif 000016
【図１５】
2017028786.tif 000017
【図１６】
2017028786.tif 000018
【図１７】
2017028786.tif 000019
【図１８】
2017028786.tif 000020